(57)【要約】      （修正有）【課題】一切の締付工具を使用することなく、コネクタを同軸ケーブルに簡単かつ確実に装着できるようにする。【解決手段】中心導体１の外側に同心状に絶縁体２、編組線３、シース４が順に外装された同軸ケーブルＣの先端から、絶縁体２と編組線３の間に挿し込まれるインナースリーブ１２と、シース４の外側に外装されるアウタースリーブ１３とを備えた同軸ケーブル用コネクタ１１は、アウタースリーブ１３の周壁の対向する二ヶ所に開口部１５が形成され、開口部１５に蝶番を介して締付片１７が取り付けられ、締付片１７には閉じた状態で前記開口部１５に係合するストッパ１９が形成され、締付片１７の内側に、閉じた状態で同軸ケーブルＣのシース４と噛み合う咬合歯Ｅを配した。【選択図】図１
2016219163.tif 000002
【特許請求の範囲】
【請求項１】
中心導体の外側に同心状に絶縁体、編組線、シースが順に外装された同軸ケーブルの先端から前記絶縁体と編組線の間に挿し込まれるインナースリーブと、シースの外側に外装されるアウタースリーブとを備えた同軸ケーブル用コネクタにおいて、
前記アウタースリーブの周壁に形成された開口部に、蝶番を介して締付片が取り付けられ、
当該締付片には、閉じた状態で前記開口部に係合するストッパが形成されると共に、
締付片の内側には、当該締付片を閉じた状態で同軸ケーブルのシースと噛み合う咬合歯が配されて成ることを特徴とする同軸ケーブル用コネクタ。
【請求項２】
前記締付片の蝶番の回転軸が、アウタースリーブの軸方向に対して平行に配されて成る請求項１記載の同軸ケーブル用コネクタ。
【請求項３】
前記締付片の蝶番の回転軸が、アウタースリーブの軸方向と直交する方向に対して平行に配されて成る請求項１記載の同軸ケーブル用コネクタ。
【請求項４】
前記咬合歯として、締付片の裏面に突起が一体成形された請求項１記載の同軸ケーブル用コネクタ。
【請求項５】
前記インナースリーブの内部に摺動可能に配されたスライダの中心にコンタクトピンが貫設され、当該コンタクトピンの後端側に、同軸ケーブル先端から突出した中心導体を挿入する挿入孔が形成され、
インナースリーブの周壁には、前記締付片を開いた状態でアウタースリーブの開口部を通して観察できる部位に、前記コンタクトピンの後端部を観察する内部観察窓が形成された請求項１記載の同軸ケーブル用コネクタ。
【発明の詳細な説明】
【技術分野】
【０００１】
本発明は、同軸ケーブルを通信放送機械など各種の高周波機器に設けられたレセプタクルに挿し込んで接続するために、その先端に取り付けて使用する同軸ケーブル用コネクタに関する。
【背景技術】
【０００２】
テレビ放送やデータ通信などに用いられる高周波信号を伝達するために用いられる同軸ケーブルを高周波機器に接続するためにＦ型コネクタなどの同軸ケーブル用コネクタが用いられる。
【０００３】
図１０に示す同軸ケーブル用コネクタ６１は、中心導体１の外側に同心状に絶縁体２、編組線３、シース４が配された同軸ケーブルＣの先端に装着されて使用され、その装着作業においては、同軸ケーブルＣは、先端側のシース４を所定長さ切除し、編組線３を外側に折り返し、絶縁体２を切除して中心導体１を露出させる端末処理が施される。
【０００４】
コネクタ６１は、前記絶縁体２と編組線３の間に挿し込まれるインナースリーブ６２と、シース４の外側に外装されるアウタースリーブ６３とを備えており、アウタースリーブ６３の先端には、同軸ケーブル用レセプタクル（図示せず）と螺合される締付ナット６４が回動自在に取り付けられている。
【０００５】
この状態で、コネクタ６１のインナースリーブ６２内に絶縁体２を挿し込み、インナースリーブ６２とアウタースリーブ６３の間にシース４を挿し込んだ後、アウタースリーブ６３を同軸ケーブルの上から六角筒状にカシメて圧着させる専用の締付工具を用いて、同軸ケーブルＣの先端にコネクタ６１が取り付けられる。
【０００６】
しかしながら、アウタースリーブ６３は、変形しやすいように比較的薄い金属板で形成され、特にエッジの部分が薄く形成されているので、そのエッジ部分で手を傷つけやすいという問題があった。
また、この種のコネクタ６１の専用の締付工具は重くて大きいため、装着作業の簡便性が損なわれ、より簡便で迅速確実に装着できるコネクタが望まれていた。
【０００７】
また、アウタースリーブをカシメるのではなく、図１１に示す同軸ケーブル用コネクタ７１のように、アウタースリーブ７３に外装されたスライドスリーブ７５を締付ナット７４側にスライドさせることにより、その内部に配されたパッキンリング７６をインナースリーブ７２側に突出させて同軸ケーブルＣの先端に装着するタイプのものも提案されている（特許文献１参照）。
【０００８】
これによれば、アウタースリーブ７３やスライドスリーブ７５は、そのエッジ部分が薄く形成されていないので、手を傷つけることもない。
【０００９】
しかしながら、スライドスリーブ７５をスライドさせるために専用の締付工具が必要なことには変わりがない。
また、同軸ケーブルＣを押さえるパッキンリング７６は一般に樹脂製であるため、常に力がかかった状態で長期間使用することにより劣化しやすく、あるいはクリープ現象を起こして把持力を喪失し、数年も経たずに同軸ケーブルＣから外れてしまうおそれがある。
【先行技術文献】
【特許文献】
【００１０】
【特許文献１】実用新案登録第３１０１６５６号公報
【発明の概要】
【発明が解決しようとする課題】
【００１１】
そこで本発明は、一切の締付工具を使用することなく、コネクタを同軸ケーブルに簡単かつ安全確実に装着できるようにすることを技術的課題としている。
【課題を解決するための手段】
【００１２】
この課題を解決するために、本発明は、中心導体の外側に同心状に絶縁体、編組線、シースが順に外装された同軸ケーブルの先端から前記絶縁体と編組線の間に挿し込まれるインナースリーブと、シースの外側に外装されるアウタースリーブとを備えた同軸ケーブル用コネクタにおいて、前記アウタースリーブの周壁に形成された開口部に、蝶番を介して締付片が取り付けられ、当該締付片には、閉じた状態で前記開口部に係合するストッパが形成されると共に、締付片の内側には、当該締付片を閉じた状態で同軸ケーブルのシースと噛み合う咬合歯が配されて成ることを特徴とする。
【発明の効果】
【００１３】
本発明に係る同軸ケーブル用コネクタによれば、通常の装着作業と同様、同軸ケーブルの中心導体を露出させ、シースを所定長さ切断して、露出した編組線を折り返しておく。
次いで、締付片を開いた状態で、中心導体がコネクタ先端側に露出するまで絶縁体をインナースリーブ内に挿入すると共に、インナースリーブとアウタースリーブの間に編組線及びシースを挿入していく。
【００１４】
中心導体のコネクタ先端側から露出したところで、締付片を指で倒して閉じると、締付片のストッパがアウタースリーブに形成された開口部に係合すると同時に、締付片の咬合歯がシースに食い込んで噛み合う。
このように、同軸ケーブルをコネクタに挿し込んで、締付片を指でつまむように倒すだけで、同軸ケーブルの先端にコネクタを簡単かつ安全確実に装着することができる。
【図面の簡単な説明】
【００１５】
【図１】本発明に係る同軸ケーブル用コネクタの外観斜視図。
【図２】その分解図。
【図３】その正面図。
【図４】その締付手順を示す断面図。
【図５】他の実施形態を示す説明図。
【図６】その締付手順を示す断面図。
【図７】さらに他の実施形態を示す斜視図。
【図８】その締付手順を示す断面図。
【図９】さらに他の実施形態を示す斜視図。
【図１０】従来装置を示す説明図。
【図１１】従来装置を示す説明図。
【発明を実施するための形態】
【００１６】
本例は、一切の締付工具を使用することなく、コネクタを同軸ケーブルに簡単かつ確実に装着できるようにするために、中心導体の外側に同心状に絶縁体、編組線、シースが順に外装された同軸ケーブルの先端から前記絶縁体と編組線の間に挿し込まれるインナースリーブと、シースの外側に外装されるアウタースリーブとを備えた同軸ケーブル用コネクタにおいて、
前記アウタースリーブの周壁に形成された開口部に、蝶番を介して締付片が取り付けられ、当該締付片には、閉じた状態で前記開口部に係合するストッパが形成されると共に、締付片の内側には、当該締付片を閉じた状態で同軸ケーブルのシースと噛み合う咬合歯を配した。
【実施例１】
【００１７】
図１〜４は、本発明に係る同軸ケーブル用コネクタ１１の一例を示す。図１（ａ）が同軸ケーブルＣへの装着前の状態、図１（ｂ）が同軸ケーブルＣへの装着後の状態を示す。
同軸ケーブルＣは、中心導体１の外側に同心状に絶縁体２、編組線３、シース４が順に外装されて、コネクタ１１の装着作業を行う場合、予め、先端部のシース４を所定長さ切除し、編組線３を外側に折り返し、絶縁体２を切除して中心導体１を露出させる端末処理を行う。
【００１８】
このコネクタ１１は、テレビの受信用に用いられるいわゆるF型コネクタと称するタイプであって、同軸ケーブルＣの先端から前記絶縁体２と編組線３の間に挿し込まれるインナースリーブ１２と、シース４の外側に外装されるアウタースリーブ１３とを備えており、アウタースリーブ１３の先端には、同軸ケーブル用レセプタクル（図示せず）と螺合される締付ナット１４が回動自在に取り付けられている。
【００１９】
インナースリーブ１２は、ケーブル挿込端側に円筒スリーブ１２ａが形成され、コネクタ接続端側にフランジ１２ｂが形成され、円筒スリーブ１２ａを締付ナット１４側から挿し込むことによりアウタースリーブ１３に嵌め合され、フランジ１２ｂにより締付ナット１４を回動自在に保持している。
【００２０】
アウタースリーブ１３は略円筒状に形成され、その周壁には対向する二ヶ所に開口部１５が形成され、当該開口部１５に、蝶番１６を介して締付片１７が取り付けられている。
蝶番１６は、締付片１７の側面基端部に形成された突起１８ａが、開口部１５に形成された係合孔１８ｂに係合され、アウタースリーブ１３の軸方向に対して平行な回転軸の周りに回動自在に形成されている。
【００２１】
締付片１７は、閉じたときにアウタースリーブ１３と面一になる円弧状に形成され、その側面には、閉じた状態で開口部１５の内縁に係合するストッパ１９が突出形成されると共に、その内側には、閉じた状態で同軸ケーブルＣのシース４と噛み合う咬合歯Ｅが突出形成されている。
本例では、締付片１７の裏面に一体成形された複数の突起２０が咬合歯Ｅとして機能している。
【００２２】
以上が本発明の一構成例であって、次にその作用について図３及び図４を伴って説明する。
図３は本発明に係るコネクタ１１の正面図であり、図４（ａ）〜（ｃ）はそのＸ−Ｘ線断面図であって、装着手順を示す説明図である。
【００２３】
図３及び図４（ａ）に示すように、締付片１７を開いた状態で、図４（ｂ）に示すように、中心導体１がコネクタ１１の先端側に露出するまで絶縁体２をインナースリーブ１２内に挿入すると共に、インナースリーブ１２とアウタースリーブ１３の間に編組線３及びシース４を挿入していく。
このとき、締付片１７の裏面側に一体形成された咬合歯Ｅは、インナースリーブ１２とアウタースリーブ１３の隙間で形成されるシース４の挿入空間から退避されているので、同軸ケーブルＣの挿し込みの妨げとなることがない。
【００２４】
次いで、図４（ｃ）に示すように、双方の締付片１７を指などで摘まむようにして閉じるだけでコネクタ１１の装着作業が完了する。
このとき、ストッパ１９が開口部１５の内縁と係合すると同時に、締付片１７の裏面に形成された咬合歯Ｅがシース４に押圧され、シース４が咬合歯Ｅに押し潰されて変形するように噛み合うので、同軸ケーブルＣの抜脱が防止され、コネクタ１１がケーブルＣの先端に強固に装着されることになる。
【００２５】
また、シース４の弾発力により咬合歯Ｅを介して締付片１７が押し開かれる方向に付勢されても、ストッパ１９が開口部１５の内縁と係合しているので、締付片１７が開くことがなく、したがって、コネクタ１１が同軸ケーブルＣから外れることもない。
【実施例２】
【００２６】
図５は、本発明に係る他の実施例を示す分解図である。
なお、実施例１と共通する部分については同一符号を付して詳細説明は省略する。
【００２７】
本例の同軸ケーブル用コネクタ２１は、インナースリーブ１２、アウタースリーブ１３及び締付ナット１４を備え、アウタースリーブ１３の対向二ヶ所に開口部１５が形成されてなる。
開口部１５に蝶番１６を介して取り付けられる締付片２２は、その側壁にストッパ19が形成されている点で共通するが、その裏面に咬合歯となる突起が形成されていない点で異なる。
【００２８】
本例の咬合歯Ｅは、Ｃ環状に折り曲げられた金属薄板２３の幅方向両側に複数の係合爪２４を内向きに折り曲げて形成されている。
なお、金属薄板２３は、締付片２２を開いた状態で、係合爪２４が、インナースリーブ１２とアウタースリーブ１３の隙間で形成されるシース４の挿入空間の外側に退避するように開成方向に付勢され、締付片２２を閉じた状態で、その係合爪２４がシース４に噛み合うようになっている。
また、金属薄板２３に位置決め用スペーサリング２５が一体形成され、当該リング２５をアウタースリーブ１３の奥にセットした状態で、係合爪２４が締付片２２の真下に位置するようになっている。
【００２９】
図６（ａ）〜（ｃ）はコネクタ２１の装着手順を示す説明図である。
図６（ａ）に示すように、締付片２２を開いた状態で、図６（ｂ）に示すように、絶縁体２をインナースリーブ１２内に挿入すると共に、インナースリーブ１２とアウタースリーブ１３の間に編組線３及びシース４を挿入していく。
このとき、締付片２２の内側に配された咬合歯ＥのＣ環状金属薄板２３は広がって、係合爪２４がシース４の挿入空間から退避されているので、同軸ケーブルＣの挿し込みの妨げとなることがない。
【００３０】
次いで、図６（ｃ）に示すように、双方の締付片２２を指などで摘まむようにして閉じるだけでコネクタ２１の装着作業が完了する。
このとき、ストッパ１９が開口部１５の内縁と係合すると同時に、咬合歯Ｅとなる係合爪２４がシース４に喰い込むので、同軸ケーブルＣの抜脱が防止され、コネクタ１１がケーブルＣの先端に強固に装着されることになる。
また、シース４の弾発力により咬合歯Ｅを介して締付片２２が押し開かれる方向に付勢されても、ストッパ１９が開口部１５の内縁と係合しているので、締付片１７が開くことがなく、したがって、コネクタ２１が同軸ケーブルＣから外れることもない。
【実施例３】
【００３１】
図７及び８は、さらに他の実施例を示す斜視図及び装着手順を示す説明図である。。
本例の同軸ケーブル用コネクタ３１は、計測用、通信用、映像信号用などに多く使われているバヨネット接続タイプのBNCコネクタと称するタイプである。
【００３２】
図７に示すように、コネクタ３１は、同軸ケーブルＣの先端から前記絶縁体２と編組線３の間に挿し込まれるインナースリーブ３２と、シース４の外側に外装されるアウタースリーブ３３とを備えており、アウタースリーブ３３の先端には、同軸ケーブル用レセプタクル（図示せず）と接続されるバヨネットリング３４が回動可能に設けられている。
【００３３】
アウタースリーブ３３は略円筒状に形成され、その周壁には対向する二ヶ所に開口部３５が形成され、当該開口部３５に、蝶番３６を介して締付片３７が取り付けられている。
また、レセプタクル接続端側の先端部は、アース接点として機能し、その外側に、バヨネットリング３４が外装されている。
【００３４】
締付片３７は、閉じたときにアウタースリーブ３３と面一になる円弧状に形成され、その側面には、閉じた状態で開口部３５の内縁に係合するストッパ３８が突出形成されると共に、その内側には、閉じた状態で同軸ケーブルＣのシース４と噛み合う咬合歯Ｅが突出形成されている。
本例では、締付片３７の裏面に一体成形された複数の突起３９が咬合歯Ｅとして機能している。
【００３５】
図８に示すように、インナースリーブ３２内には、中心にコンタクトピン４０が貫設されたスライダ４１が摺動可能に配されており、コンタクトピン４０の後端側には、同軸ケーブルＣの先端から突出した中心導体１が挿入されて電気接続するための挿入孔４２が形成されている。
インナースリーブ３２の周壁には、締付片３７を開いた状態でアウタースリーブ３３の開口部３５を通して観察できる部位に、コンタクトピン４０の後端部を観察する内部観察窓４３が形成されている。
【００３６】
これにより、インナースリーブ３２内に挿し込んだ同軸ケーブルＣの中心導体１がコンタクトピン４０の挿入孔４２に正確に挿し込まれているか確認することができる。
なお、コンタクトピン４０は、中心導体１が挿入孔４２に挿し込まれる状態が見えやすいように、装着前の状態では、スライダ４１の後端から突出され、中心導体１を挿し込むことにより、スライダ４１内に収納されるように先端に向かって所定長さ（数ｍｍ）だけ摺動可能に配されている。
【００３７】
またアウタースリーブ３３の先端側には、インナースリーブ３２内を通過したスライダ４１に当接されてスライダ４１を位置決めするディスク４４が取り付けられており、その中央に、コンタクトピン４０を貫通させるピンホール４５が穿設されている。
【００３８】
本例によれば、図８（ａ）に示すように、締付片３７を開いた状態で、図８（ｂ）に示すように、中心導体１がコネクタ３１の先端側に露出するまで絶縁体２をインナースリーブ３２内に挿入すると共に、インナースリーブ３２とアウタースリーブ３３の間に編組線３及びシース４を挿入していく。
このとき、締付片３７の裏面側に一体形成された咬合歯Ｅは、インナースリーブ３２とアウタースリーブ３３の隙間で形成されるシース４の挿入空間から退避されているので、同軸ケーブルＣの挿し込みの妨げとなることがない。
【００３９】
次いで、図８（ｃ）に示すように、双方の締付片３７を指などで摘まむようにして閉じればコネクタ３１の装着作業が完了する。
このとき、ストッパ３８が開口部３５の内縁と係合すると同時に、締付片３７の裏面に形成された咬合歯Ｅがシース４に押し当てられ、シース４を押し潰して変形させるように噛み合うので、同軸ケーブルＣの抜脱が防止され、コネクタ３１がケーブルＣの先端に強固に装着されることになる。
【００４０】
また、シース４の弾発力により咬合歯Ｅを介して締付片３７が押し開かれる方向に付勢されても、ストッパ３８が開口部３５の内縁と係合しているので、締付片３７が開くことがなく、したがって、コネクタ３１が同軸ケーブルＣから外れることもない。
【実施例４】
【００４１】
図９（ａ）及び（ｂ）は，さらに他の実施例の装着前、装着後の状態を示す斜視図である。
なお、図１〜図４と共通する部分については、同一符号を付して重複説明を省略する。
【００４２】
本例の同軸ケーブル用コネクタ５１は、インナースリーブ１２、アウタースリーブ１３及び締付ナット１４を備え、アウタースリーブ１３の対向二ヶ所に開口部１５が形成されてなり、開口部１５には蝶番５２を介して締付片５３が取り付けられている。
【００４３】
蝶番５２は、その回転軸が、アウタースリーブ１３の軸方向と直交する方向に対して平行に配されている。
締付片５３は、閉じた状態で開口部１５の内縁と係合するストッパ５４が先端側壁に形成されており、その裏面に咬合歯Ｅとなる突起５５が形成されている。
【００４４】
本例においても、図９（ａ）に示すように、締付片５３を開いた状態で、中心導体１がコネクタ５１の先端側に露出するまで絶縁体２をインナースリーブ１２内に挿入すると共に、インナースリーブ１２とアウタースリーブ１３の間に編組線（図示せず）及びシース４を挿入していく。
このとき、締付片５３の裏面側に一体形成された咬合歯Ｅは、インナースリーブ１２とアウタースリーブ１３の隙間で形成されるシース４の挿入空間から退避されているので、同軸ケーブルＣの挿し込みの妨げとなることがない。
【００４５】
次いで、図９（ｂ）に示すように、双方の締付片５３を指などで摘まむようにして閉じればコネクタ５１の装着作業が完了する。
このとき、ストッパ５４が開口部１５の内縁と係合すると同時に、締付片５３の裏面に形成された咬合歯Ｅがシース４に押し当てられ、シース４を押し潰して変形させるように噛み合うので、同軸ケーブルＣの抜脱が防止され、コネクタ５１がケーブルＣの先端に強固に装着されることになる。
【００４６】
また、シース４の弾発力により咬合歯Ｅを介して締付片５３が押し開かれる方向に付勢されても、ストッパ５４が開口部１５の内縁と係合しているので、締付片５３が開くことはなく、したがって、コネクタ５１が同軸ケーブルＣから外れることもない。
【産業上の利用可能性】
【００４７】
本発明は、同軸ケーブルをレセプタクルに接続させるため、その先端に装着されるコネクタの用途に適用し得る。
【符号の説明】
【００４８】
Ｃ    同軸ケーブル
１    中心導体
２    絶縁体
３    編組線
４    シース
１１  同軸ケーブル用コネクタ
１２  インナースリーブ
１３  アウタースリーブ
１５  開口部
１６  蝶番
１７  締付片
１９  ストッパ
Ｅ    咬合歯
【図１】
2016219163.tif 000003
【図２】
2016219163.tif 000004
【図３】
2016219163.tif 000005
【図４】
2016219163.tif 000006
【図５】
2016219163.tif 000007
【図６】
2016219163.tif 000008
【図７】
2016219163.tif 000009
【図８】
2016219163.tif 000010
【図９】
2016219163.tif 000011
【図１０】
2016219163.tif 000012
【図１１】
2016219163.tif 000013